(57)【要約】  【課題】  簡単な構成で、小径及び大径のいずれのディスクにも対応可能であり、しかも大きな音がせず、且つ安定した動作をするディスクローディング機構を提供する。  【解決手段】  ドア１が閉じるとき、トレイ３の下降と連動して、アーム１１も下方に旋回してくる。一方、トレイ３の下降に伴い、大径ディスク押圧部材が大径ディスクを押し、更には大径ディスクがディスク受け部材９を押すため、ディスク受け部材９も下降する。そして、下方に旋回してきたアーム１１の先端が、下降しつつあるディスク受け部材９に設けられた突起９ａに接触する。続いて、ディスク受け部材９は、アーム１１の先端部分によって更に押し下げられる。【選択図】      図６
2005353122.tif 000002
【特許請求の範囲】
【請求項１】
ディスク装着部に対しディスクを脱着するべく開閉する蓋体と、該蓋体に上下スライド可能に設けられディスクが載置されるトレイと、該トレイに載置されたディスクを受け止めるディスク受け部材とを有するディスクローディング機構であって、
前記トレイに大径ディスク押圧部材を備え、前記トレイに大径ディスクが載置され前記蓋体が閉じる動作に伴い前記トレイが下降したときに、前記大径ディスク押圧部材により前記大径ディスクを押し下げ、更に該大径ディスクにより前記ディスク受け部材を押し下げるディスクローディング機構において、
前記トレイの上下スライド動作に連動して回動するアームを設け、該アームが、前記大径ディスクにより押し下げられた前記ディスク受け部材を、更に押し下げるようにして成ることを特徴とするディスクローディング機構。
【請求項２】
前記トレイに小径ディスクが載置されたときは、前記トレイが下降しても前記大径ディスク押圧部材は前記小径ディスクを押し下げないことを特徴とする請求項１に記載のディスクローディング機構。
【請求項３】
前記ディスク受け部材は上下方向に対して摩擦力により保持されていることを特徴とする請求項１又は請求項２に記載のディスクローディング機構。
【請求項４】
前記蓋体が開く動作に伴い前記トレイが上昇したときに、該トレイにより前記ディスク受け部材を引き上げるようにして成ることを特徴とする請求項１〜請求項３のいずれかに記載のディスクローディング機構。
【発明の詳細な説明】
【技術分野】
【０００１】
本発明は、例えば光ディスクのような情報記録媒体としてのディスクを、ディスク駆動装置にローディングするための、ディスクローディング機構に関するものである。
【背景技術】
【０００２】
従来のディスク駆動装置におけるディスクローディング機構を、図面を参照しながら説明する。図９は、従来のディスクローディング機構のドア部を表面側（前面側）から見た図であり、後述するトレイが最上部に位置している状態を示している。また図１０は、図９のドア部を裏面側（後面側）から見た図である。さらに図１１は、図９と同様にディスクローディング機構のドア部を表面側から見た図であり、大径ディスクを図示しないターンテーブルに装着できる位置までトレイが下降した状態を示している。そして図１２は、図１１のドア部を裏面側から見た図である。なお、図９〜図１２はそれぞれ、後述する実施例における、図２，図４，図７，図８に相当している。
【０００３】
さて、図９〜図１２に示すように、略板状の蓋体であるドア１４の裏面には、ディスクを載置するトレイ１５が上下方向に移動可能に取り付けられている。トレイ１５は、図示しないモーター及びドア・アーム等により上下方向に駆動され、これに連動してドア１４も下端部の支軸（不図示）を中心として前後に開閉する。またドア１４の下部には、ディスクを受け止めるディスク受け部材１６が、上下方向に移動可能に取り付けられている。なお、ドア１４の略中央には、ターンテーブルとの間でディスクを挟み込んで固定するクランプＣが設けられている。
【０００４】
図９に示すように、ディスク受け部材１６を上下に移動させるアーム１７が、ドア１４下部に設けられた支点１４ａを中心に回動可能なように、ドア１４に取り付けられている。また、ディスク受け部材１６の略中央部には、ピン１６ａが突設しており、これがアーム１７先端の長孔１７ａと嵌合し、これによりガイドされている。そして、このアーム１７により、ディスク受け部材１６とドア１４とが連結されている。そして、支点１４ａ付近に設けられた捻りコイルバネであるトグルバネ１８からの、ディスク受け部材１６側とは反対側で支点１４ａの下側に向かって加わる、矢印Ｆで示すバネ力により、アーム１７が上方に旋回（同図で左回りに回転）するように付勢されている。
【０００５】
これにより、ディスク受け部材１６は上方へと付勢され、ドア１４上でクランプＣの下部に設けられたストッパー１４ｂに当接する。このときのディスク受け部材１６の位置は、これに載置された小径ディスク１９を、ドア１４が閉じたときに図示しないターンテーブルに載置することのできる位置である。また図１０に示すように、トレイ１５の裏面左右上部には、大径ディスク押圧部材１５ａが突設している。同図では小径ディスク１９及び大径ディスク２０がそれぞれ載置された状態での位置関係を示している。但し、実際にはこれらのディスクは同時には載置されない。ちなみに、図１１及び図１２では、大径ディスク２０が載置された状態のみを示している。
【０００６】
図９，図１０に示すように、小径ディスク１９をトレイ１５に載せて、装置を稼動させると、図示しないモーターが回転し、ギア・ユニット，ピボット・アーム，及びドア・アーム（それぞれ不図示）が駆動されることにより、トレイ１５が下降するとともにドア１４が閉じる。このとき、ディスク受け部材１６はトレイ１５に対して独立しており、これから何の影響も受けず、ドア１４上を移動しないので、この状態でドア１４が閉じることにより、小径ディスク１９を図示しないターンテーブルに載置することができる。なお、ピボット・アームやドア・アーム等の構成については、下記実施例にて詳述する。
【０００７】
一方、図１０に示すように、大径ディスク２０をトレイ１５に載せて、装置を稼動させると、上記と同様にして、図示しないモーターが回転し、ギア・ユニット，ピボット・アーム，及びドア・アームが駆動されることにより、トレイ１５が下降し、ドア１４が閉じる。この場合、トレイ１５が、大径ディスク押圧部材１５ａと大径ディスク２０との隙間分下降した時点で、大径ディスク押圧部材１５ａが大径ディスク２０に当接する。そして、これ以降、トレイ１５が下降し続けることにより、大径ディスク２０が大径ディスク押圧部材１５ａに押され、更にはディスク受け部材１６が大径ディスク２０に押されてトレイ１５と一緒に下降し、アーム１７もそれに伴い下方に旋回（図９で右回りに回転）する。
【０００８】
このとき、図９に示すように、トグルバネ１８のバネ力は、矢印Ｆで示すように、当初はアーム１７を左回りに回転させる方向に付勢するように作用しているが、アーム１７がトレイ１５の下降に伴い右回りに回転して、概ね中央の死点（回動の中間位置）を越えると、図１１に示すように、トグルバネ１８のバネ力は、矢印Ｆａで示すように支点１４ａの上側に向かって加わり、アーム１７を右回りに回転させる方向に付勢するように切り換わる。これにより、ディスク受け部材１６は下方へと付勢され、トレイ１５の下端部に設けられたストッパー１５ｂに当接する。そして、最終的にトレイ１５及びディスク受け部材１６は、大径ディスク２０が図示しないターンテーブルに装着することのできる位置となるまで下降する。
【０００９】
このとき、図１２に示すように、大径ディスク２０は大径ディスク押圧部材１５ａから離れており、大径ディスク押圧部材１５ａとディスク受け部材１６とで挟持された状態ではなく、自重のみによってトレイ１５及びディスク受け部材１６により保持された状態である。従って、この状態でドア１４が閉じることにより、大径ディスク２０が図示しないターンテーブルに装着されるとともに、図示しないディスク回転駆動手段により、情報を記録或いは再生可能な状態とすることができる。
【００１０】
ドア１４が開くときは、上記と逆の要領で、図示しないモーターが逆回転し、ギア・ユニット，ピボット・アーム，及びドア・アームが逆方向に駆動されることにより、大径ディスク２０がターンテーブルから離脱し、トレイ１５が上昇し、アーム１７もそれに伴い上方に旋回（図１１で左回りに回転）する。また、ディスク受け部材１６がトレイ１５のストッパー１５ｂにより引き上げられてトレイ１５と一緒に上昇する。
【００１１】
このとき、図１１に示すように、トグルバネ１８のバネ力は、矢印Ｆａで示すように、当初はアーム１７を右回りに回転させる方向に付勢するように作用しているが、アーム１７がトレイ１５の上昇に伴い右回りに回転して、概ね中央の死点を越えると、図９に示すように、トグルバネ１８のバネ力は、矢印Ｆで示すように、アーム１７を左回りに回転させる方向に付勢するように切り換わる。これにより、ディスク受け部材１６は上方へと付勢され、ドア１４に設けられたストッパー１４ｂに当接する。そして、最終的にトレイ１５及びディスク受け部材１６は、小径ディスク１９が図示しないターンテーブルに装着することのできる位置となるまで上昇する。
【００１２】
その他、ディスクの出し入れ操作が容易でディスクを外部から容易に視認できる縦型ディスク挿入排出機構が、本出願人により特許文献１に開示されている。これは、ディスクを挿入する際には蓋体を半開き状態として、上方位置にあるスライド部材に支持させ、蓋体を閉じるとディスクがスライド部材と共に下方にスライドして録音・再生が可能な閉止状態となるように構成したものである。
【特許文献１】特開２００３−１７３５９９号公報
【発明の開示】
【発明が解決しようとする課題】
【００１３】
しかしながら、上記図９〜図１２で示した従来例のように、トグルバネ１８によりディスク受け部材１６を、小径ディスク１９の再生位置から大径ディスク２０の再生位置へ、或いは大径ディスク２０の再生位置から小径ディスク１９の再生位置へと上下に移動させようとすると、ディスク受け部材１６はバネ力により勢い良く付勢されているので、上下の前記各ストッパーに当接することにより大きな音がする。このような大きな音は使用者に不快感をもたらすとともに、当接に伴う振動によりローディング動作に支障を来す恐れがある。
【００１４】
その他、上記特許文献１に記載の構成においては、小径ディスクのローディングについては考慮されていない。本発明は、以上のような問題点に鑑み、簡単な構成で、小径及び大径のいずれのディスクにも対応可能であり、しかも大きな音がせず、且つ安定した動作をするディスクローディング機構を提供することを目的とする。
【課題を解決するための手段】
【００１５】
上記目的を達成するために、本発明では、ディスクが載置されるトレイと、載置されたディスクを受け止めるディスク受け部材と、大径ディスク押圧部材と、トレイに連動して回動するアームとを備えた構成としている。そして、大径ディスクが載置されたトレイが下降したときに、大径ディスク押圧部材により大径ディスクを押し下げ、更にはこれによりディスク受け部材を押し下げ、このディスク受け部材をアームが更に押し下げるようにしている。
【００１６】
この構成においては、トレイに小径ディスクが載置された場合、アームはトレイの動きと連動して回動するが、大径ディスク押圧部材が小径ディスクに届かず、ディスク受け部材が移動しないため、アームがディスク受け部材に当接することはない。従って、ディスク受け部材が押し下げられることもない。
【００１７】
また、トレイに大径ディスクが載置された場合、トレイと一緒に移動可能に設けられた大径ディスク押圧部材が、トレイの下降に伴って大径ディスクを押し、大径ディスクがディスク受け部材を押すため、ディスク受け部材が下降する。一方、アームはトレイの動きと連動して回動し、回動の途中でディスク受け部材に当接する。ここからディスク受け部材は、大径ディスクではなく、アームにより押し下げられる。
【発明の効果】
【００１８】
本発明によれば、簡単な構成で、小径及び大径のいずれのディスクにも対応可能であり、しかも大きな音がせず、且つ安定した動作をするディスクローディング機構を提供することができる。即ち、大径ディスクであれ、小径ディスクであれ、ターンテーブルに装着できるとともに、モーターの駆動力による安定した動作をし、且つ静かな動作が可能となる。
【発明を実施するための最良の形態】
【００１９】
以下、本発明の実施の形態について、図面を参照しながら説明する。ここでは本発明をコンパクトディスクプレーヤーに適用した一例を示す。
【実施例１】
【００２０】
図１は、本発明の実施例１に係るディスクローディング機構の左側面図である。ここでは後述のドアが開いた状態を示している。同図において、略板状の蓋体であるドア１は、その下端部の支軸１ａで回動可能に、板状に立設するフレーム２に取り付けられている。ディスクを載置するトレイ３は、ドア１の矢印Ａで示した長手方向にスライド可能なように、ドア１の裏面に取り付けられている。フレーム２の裏面には、これと略直角を成すように略板状のアームベース５が立設しており、アームベース５の左側面には、ピボット・アーム６が前後に回動可能に取り付けられている。
【００２１】
また、トレイ３の左側面中央付近には、略長板状のドア・アーム７がその前端部のピン７ａで回動可能に取り付けられている。そして、ドア・アーム７の前部から後部に渡って、幅方向略中央部分に長孔７ｂが設けられており、これはアームベース５前部に設けられたピン５ａと嵌合して、これによりガイドされる。さらに、ドア・アーム７後端部にはピン７ｃが設けられており、これはアームベース５に略円弧状に設けられた長孔５ｂ及び、ピボット・アーム６先端に設けられた長孔６ａと嵌合して、これらによりガイドされる。
【００２２】
ピボット・アーム６は、図示しないモーター及びギア・ユニットにより、支軸６ｂを中心として回動する。このとき、ピボット・アーム６が同図の右方向に旋回（左回りに回転）すると、その駆動力がドア・アーム７を介してトレイ３に伝達され、ドア１が開きながらトレイ３が上昇する。逆に、ピボット・アーム６が同図の左方向に旋回（右回りに回転）すると、同様にしてその駆動力がドア・アーム７を介してトレイ３に伝達され、ドア１が閉じながらトレイ３が下降する。なお、フレーム２の前面略中央部より突設するターンテーブル８は、全体は図示しないディスク回転駆動手段の一部であり、後述のディスクを装着する部分である。
【００２３】
一方、図２は図１に示したディスクローディング機構のドア部を表面側から見た図である。図２において、ドア１の下部中央には、上記矢印Ａで示した長手方向（同図の上下方向）にスライド可能なように、ディスクを受け止めるディスク受け部材９が取り付けられている。ディスク受け部材９の下部には、板バネである位置決めバネ１０の一端（ここでは下端）が固定され、その他端（ここでは上端）は遊離端１０ａとなっており、ここでの山形に折り曲げた形状により、ドア１の下部中央に上下方向に設けた溝１ｄの側面を押すように配置されている。
【００２４】
同図に示すように、ドア１が開いた状態のとき、位置決めバネ１０の遊離端１０ａは、ドア１の溝１ｄ側面上部に設けられた切り欠き１ｂに入り込み、ディスク受け部材９の上下スライド方向の動きを規制するため、ディスク受け部材９はその上端の位置、即ち小径ディスク１２をターンテーブル８に載置することのできる位置に留まり、ディスク受け部材９及びこれに載置されるディスクの自重によっては落下しない。なお、ドア１の略中央には、ターンテーブル８との間でディスクを挟み込んで固定するクランプＣが設けられている。
【００２５】
また、ディスク受け部材９を押し下げる働きをするアーム１１が、ドア１下部に設けられた支点１ｃを中心に回動可能なように、ドア１に取り付けられ、トレイ３の下端部に設けられた略円柱状の突起３ａが、アーム１１内にその長手方向に沿って設けられた長孔１１ａと嵌合し、これによりガイドされている。この構成により、トレイ３が下降するとアーム１１も下方に旋回（右回りに回転）し、トレイ３が上昇するとアーム１１も上方に旋回（左回りに回転）する。
【００２６】
図３は、図２の状態から小径ディスク１２をトレイ３に載せたまま、トレイ３が下降しつつある状態を示す図である。ここではトレイ３の下降に伴い、アーム１１も下降してきた状態を示している。ここで、図１及び図２で示したドア１が開いた状態から、小径ディスク１２をトレイ３に載せて、装置を稼動させた時の様子を以下に説明する。ここではディスクを載せない場合の動きも同様である。
【００２７】
上述のようにドア１が開いた状態から、図示しないモーターの回転及びギア・ユニットの駆動により、ピボット・アーム６が図１の左方向に旋回（右回りに回転）する。この駆動力が、ドア・アーム７を介してドア１及びトレイ３に作用することにより、トレイ３が下降するとともにドア１が閉じる。このトレイ３の下降と連動して、図３に示すように、アーム１１も下方に旋回（右回りに回転）してくるが、このとき、ディスク受け部材９はトレイ３に対して独立しており、またアーム１１とも係合しない位置にあって、これらから何の影響も受けず、ドア１上を移動しない。従って、この状態でドア１が閉じることにより、小径ディスク１２をターンテーブル８に装着することができる。
【００２８】
図４は、図２のドア部を裏面側から見た図である。ここでは、大径ディスク１３がトレイ３に載置され、トレイ３及びディスク受け部材９により保持された状態を示している。トレイ３の裏面左右上部には、大径ディスク押圧部材３ｂが突設している。また図５は、図４の状態からトレイ３が下降してきた状態を示している。このとき、大径ディスク押圧部材３ｂが大径ディスク１３に接触している。
【００２９】
図６は、ドア部を正面側から見た図であって、大径ディスク１３をトレイ３に載置した状態で、図５より更にトレイ３が下降してきた状態を示している。このとき、図５で示した大径ディスク１３が大径ディスク押圧部材３ｂに押され、更にはディスク受け部材９が大径ディスク１３に押されてトレイ３と一緒に下降する。また、トレイ３の下降に連動して、図６において右回りに回転して下降してきたアーム１１の先端が、下降しつつあるディスク受け部材９の中央付近に設けられた突起９ａに接触する。
【００３０】
図７は、図６よりトレイ３が更に下降して、下端の位置まで到達した様子を示す図である。ここでは大径ディスク１３をターンテーブル８に装着し、更には図示しないディスク回転駆動手段により、情報を記録または読み出しすることのできる位置まで来た状態を示している。なお、大径ディスク１３はここでは図示していない。図８は、図７のドア部を裏面側から見た図である。
【００３１】
ここで、図４に示したドア１が開いた状態から、大径ディスク１３をトレイ３に載せて、装置を稼動させた時の様子を以下に説明する。上記小径ディスクの場合と同様にして、図示しないモーターの回転及びギア・ユニットの駆動により、ピボット・アーム６が図１の左方向に旋回（右回りに回転）することにより、トレイ３が下降するとともにドア１が閉じる。このトレイ３の下降と連動して、図３の場合と同様にして、アーム１１も下方に旋回（右回りに回転）してくる。
【００３２】
この場合、図４の状態から、最初は小径ディスクの場合と同様に動作するが、図５の状態までトレイ３が下がると、大径ディスク押圧部材３ｂが大径ディスク１３に当接し、これを押し始める。そのため、これ以降はトレイ３の下降に伴い、大径ディスク押圧部材３ｂが大径ディスク１３を押し、更には大径ディスク１３がディスク受け部材９を押すため、ディスク受け部材９も下降する。
【００３３】
なおこのとき、ディスク受け部材９に設けた上記位置決めバネ１０の遊離端１０ａは、ドア１の溝１ｄ側面上部に設けられた切り欠き１ｂから外れるが、遊離端１０ａは依然として溝１ｄ側面を押圧しているので、その摩擦力によりディスク受け部材９は保持され、ディスク受け部材９が自重により勢い良く落下することは防止される。
【００３４】
トレイ３が更に下降し、図６の状態まで来ると、下方に旋回（右回りに回転）してきたアーム１１の先端が、下降しつつあるディスク受け部材９に設けられた突起９ａに接触する。更にトレイ３が下降すると、ディスク受け部材９は、大径ディスク１３からアーム１１に引き継がれ、この先端部分によって更に押し下げられる。最終的にトレイ３は、図７に示すように、大径ディスク１３をターンテーブル８に装着することのできる位置まで下降する。
【００３５】
このとき、図８に示すように、大径ディスク１３は、大径ディスク押圧部材３ｂとディスク受け部材９とで挟持された状態ではなく、自重のみによってトレイ３及びディスク受け部材９により保持された状態である。従って、この状態でドア１が閉じることにより、大径ディスク１３がターンテーブル８に装着されるとともに、図示しないディスク回転駆動手段により、情報を記録或いは再生可能な状態とすることができる。
【００３６】
ドア１が開くときは、上記と逆の要領で、図示しないモーターが逆回転し、ギア・ユニット（不図示），ピボット・アーム６，及びドア・アーム７が逆方向に駆動されることにより、大径ディスク１３がターンテーブル８から離脱し、トレイ３が上昇し、アーム１１もそれに伴い上方に旋回（図６で左回りに回転）する。また、ディスク受け部材９がトレイ３の下端部に設けられたストッパー３ｃにより引き上げられてトレイ３と一緒に上昇する。
【００３７】
そして、最終的にトレイ３及びディスク受け部材９は、小径ディスク１２がターンテーブル８に装着することのできる位置となるまで上昇する。このとき、ディスク受け部材９に設けられた上記位置決めバネ１０の遊離端１０ａは、ドア１の溝１ｄ側面上部に設けられた上記切り欠き１ｂに入り込み、ディスク受け部材９の上下スライド方向の動きを規制する。即ち、図３と同様の状態となる。
【００３８】
なお、特許請求の範囲で言うディスク装着部は、実施例におけるターンテーブルに対応している。
【産業上の利用可能性】
【００３９】
実施例においては、本発明をコンパクトディスクプレーヤーに適用したものとして例示したが、これに限定されるものでは勿論なく、その他の光ディスク装置や光磁気ディスク装置等にも適用可能である。
【図面の簡単な説明】
【００４０】
【図１】本発明の実施例１に係るディスクローディング機構の左側面図。
【図２】図１に示したディスクローディング機構のドア部を表面側から見た図。
【図３】図２の状態からトレイが下降しつつある状態を示す図。
【図４】図２のドア部を裏面側から見た図。
【図５】図４の状態からトレイが下降してきた状態を示す図。
【図６】ドア部を正面側から見て図５より更にトレイが下降してきた状態を示す図。
【図７】図６よりトレイが更に下降して、下端の位置まで到達した様子を示す図。
【図８】図７のドア部を裏面側から見た図。
【図９】従来のディスクローディング機構のドア部を表面側から見た図。
【図１０】図９のドア部を裏面側から見た図。
【図１１】トレイが下降した状態を示す図。
【図１２】図１１のドア部を裏面側から見た図。
【符号の説明】
【００４１】
１    ドア
２    フレーム
３    トレイ
５    アームベース
６    ピボット・アーム
７    ドア・アーム
８    ターンテーブル
９    ディスク受け部材
１０    位置決めバネ
１１    アーム
１２    小径ディスク
１３    大径ディスク
【図１】
2005353122.tif 000003
【図２】
2005353122.tif 000004
【図３】
2005353122.tif 000005
【図４】
2005353122.tif 000006
【図５】
2005353122.tif 000007
【図６】
2005353122.tif 000008
【図７】
2005353122.tif 000009
【図８】
2005353122.tif 000010
【図９】
2005353122.tif 000011
【図１０】
2005353122.tif 000012
【図１１】
2005353122.tif 000013
【図１２】
2005353122.tif 000014